(57)【特許請求の範囲】
【請求項１】
フロントグリップとリアグリップを相互に結合してなる釣り竿用グリップであって、
前記リアグリップはグリップエンド側端部と、このグリップエンド側端部をオフセットして配置するための金属製のフレーム部材とを有し、
前記フレーム部材の前後両端に相互にオフセットして配置構成された嵌合部を有し、各嵌合部を、前記リアグリップの前部側およびグリップエンド側に設けたパイプ材にそれぞれ嵌合結合することを特徴とする釣り竿用グリップ。
【発明の詳細な説明】
【０００１】
【発明の属する技術分野】
本発明は、たとえばルアーロッドやフライロッド等のルアー釣りに好適な釣り竿に係り、特にそのグリップまわりに関するものである。
【０００２】
【従来の技術】
たとえばルアー釣り等において、図５のようにロッド１のグリップ２を握ってロッド１を操作し、所望のルアーアクションを行なわせる。この例のようにグリップ２の所定部位にリール１００が搭載され、ロッド操作にはリール１００の重量等が影響する。
【０００３】
【発明が解決しようとする課題】
この種の釣り竿では長い直線的なグリップ形状の場合、図５の例ではグリップ２が肘あるいは前腕部に当たることがある。このようにグリップが腕と干渉すると、繊細なロッド操作ができず的確なルアーアクションを確保することができない等の問題がある。また、ロッド操作にはグリップまわりの重量バランスが重要であり、従来ではそのような重量バランスをとるのが必ずしも容易でなかった。
【０００４】
本発明はかかる実情に鑑み、操作性に優れ極めて使い易い釣り竿用グリップを提供することを目的とする。
【０００５】
【課題を解決するための手段】
本発明の釣り竿用グリップは、フロントグリップとリアグリップを相互に結合してなる釣り竿用グリップであって、
前記リアグリップはグリップエンド側端部と、このグリップエンド側端部をオフセットして配置するための金属製のフレーム部材とを有し、
前記フレーム部材の前後両端に相互にオフセットして配置構成された嵌合部を有し、各嵌合部を、前記リアグリップの前部側およびグリップエンド側に設けたパイプ材にそれぞれ嵌合結合することを特徴とする。
【０００８】
本発明によれば、グリップエンド側端部がフレーム部材を介して結合し、すなわちリアグリップの後部がオフセットされている。このようにグリップエンド側をオフセットすることで、ロッド操作時に肘あるいは前腕部等がグリップに当たることがなく、円滑かつ的確なロッド操作を行なうことができる。また、リアグリップの後部がオフセットされることで、グリップまわりの適正な重量バランスを確保することができる。
【０００９】
【発明の実施の形態】
以下、図面に基づき本発明による釣り竿用グリップの好適な実施の形態を説明する。
図１は、本発明による釣り竿用グリップの全体構成例を示している。グリップ１０は、フロントグリップ１１とリアグリップ１２を相互に結合してなる。フロントグリップ１１の前端からはロッド１３が伸長している。リアグリップ１２にはリールシート１４が設けられ、このリールシート１４に、後述するようにリール１００が搭載されるようになっている（図３参照）。
【００１０】
リアグリップ１２の前端部には、フロントグリップ１１を螺着させるためのネジ部１５が形成されている。フロントグリップ１１をねじ込むことにより、リール１００をリールシート１４に固定することができる。リアグリップ１２には金属またはカーボン製等のパイプ１６が内挿されており、このパイプ１６にロッド１３の基部が挿入されるようになっている。
【００１１】
さて、本発明のグリップ１０において図１に示されるようにリアグリップ１２の後部がオフセットされている。この実施形態ではグリップエンド側端部１７をオフセットして配置するためのフレーム部材１８を有する。図示のようにグリップエンド側端部１７は、その軸心がリアグリップ１２の軸心から平行にずれるように、この例では下側に配置される。なお、グリップエンド側端部１７には、後述するようにフレーム部材１８が嵌合するようになっている金属またはカーボン製等のパイプ１９が内挿されている。
【００１２】
図２は、フレーム部材１８の具体的構成例を示している。フレーム部材１８は概して板状で、２枚平行に配置構成される。また、フレーム部材１８には適度な大きさのクリヌキ部２０が形成されていてもよい。フレーム部材１８の両側には円形のフランジ部もしくは鍔部２１，２２が付設されている。鍔部２１，２２の外側にはさらに、オフセットして配置構成された円筒状の嵌合部２３，２４を有する。
【００１３】
嵌合部２３は、リアグリップ１２のパイプ１６に嵌合し、また嵌合部２４は、グリップエンド側端部１７のパイプ１９に嵌合するようになっている。フレーム部材１８の嵌合部２３または２４に対する傾斜角度θは、たとえば２０°程度であるが、この傾斜角度θは適宜調整可能である。
【００１４】
ここで、フレーム部材１８はアルミニウム、真鍮、チタニウム、ステンレス等の金属材料、あるいはカーボン、グラスファイバー、ケブラーもしくは樹脂材料等により形成される。また、その成形方法としては、たとえば削り出し、鋳造、射出成形あるいは圧延加工等が適宜用いられる。
【００１５】
上記構成において、グリップエンド側端部１７がフレーム部材１８を介して結合し、すなわちリアグリップ１２の後部がオフセットされている。リアグリップ１２には図３のようにリール１００が搭載され、実使用においては図示のように中指と人差し指の間にステー１０１を挟み込むかたちでリアグリップ１２を把持する。
【００１６】
上記のようにリアグリップ１２のグリップエンド側をオフセットすることで、図３に示されるようにリアグリップ１２まわりと腕あるいは肘との間に必要かつ十分な隙間もしくはスペースが確保される。これによりロッド操作に際して長いグリップ１０であっても、特にリアグリップ１２が肘あるいは前腕部等が当たる心配がない。また、リアグリップ１２の後部がオフセットされることで、グリップ１０全体として低重心化されグリップ１０まわりの適正な重量バランスを確保することができる。
【００１７】
なお、上記形態においてフレーム部材１８の形状等の構成は、図２等に示したもののみに限定されるものでなく、たとえば図４（Ａ）〜（Ｄ）等に示すように種々の形態を採用することができる。また、フレーム部材１８は軽量化のために２本になっている例を説明したが、その他に１本あるいは３本以上の複数に分割したものなど適宜採用可能である。
【００１８】
【発明の効果】
以上説明したように本発明によれば、この種の釣り竿においてリアグリップの後部をオフセットさせることにより、ロッド操作時に肘あるいは前腕部等がグリップに当たることがなく、円滑かつ的確なロッド操作を行なうことができる。また、リアグリップの後部がオフセットされることで、グリップまわりの適正な重量バランスを確保することができ、操作性を各段に向上させることができる。したがって使用性、取扱性に優れた釣り竿を実現することができる等の利点を有している。
【図面の簡単な説明】
【図１】本発明の釣り竿用グリップの全体構成例および内部構造を示すそれぞれ側面図である。
【図２】本発明の釣り竿用グリップの具体的構成例を示す側面図、底面図および断面図である。
【図３】本発明の釣り竿用グリップの使用時の様子を示す図である。
【図４】本発明の釣り竿用グリップの変形例を示すそれぞれ側面図である。
【図５】従来の釣り竿用グリップを示す図である。
【符号の説明】
１０    グリップ
１１    フロントグリップ
１２    リアグリップ
１３    ロッド
１４    リールシート
１５    ネジ部
１６    パイプ
１７    グリップエンド側端部
１８    フレーム部材
１９    パイプ
２０    クリヌキ部
２１，２２    鍔部
２３，２４    嵌合部
１００    リール
【図１】
0004541570.tif 000002
【図２】
0004541570.tif 000003
【図３】
0004541570.tif 000004
【図４】
0004541570.tif 000005
【図５】
0004541570.tif 000006